(57)【要約】【課題】近赤外光によって照明された被写体の撮像画像から人体の皮膚領域を検出する皮膚領域検出撮像装置において、短時間のうちに皮膚領域を検出する。【解決手段】皮膚領域検出撮像装置１は、被写体からの光を集光し固体撮像素子２上に２つの個眼像Ａ、Ｂを形成する２つの光学レンズ８と、２つの個眼像を順に読出すローリングシャッタ装置と、近赤外線領域における異なった波長（８５０ｎｍ、９４０ｎｍ）の光を発する２つのＬＥＤ５ａ、５ｂとを備える。ＬＥＤ５ａ、５ｂは、マイクロプロセッサ２４によって、個眼像Ａが読出されるときにＬＥＤ５ａが点灯し、個眼像Ｂが読出されるときにＬＥＤ５ｂが点灯するように制御される。読出された個眼像Ａ、Ｂは、近赤外光の各種波長に対する反射率の相違によって皮膚領域が異なった明るさで表され、マイクロプロセッサ２４は、個眼像Ａ、Ｂを比較して明るさの差が所定値以上である領域を皮膚領域として検出する。【選択図】図１
2008182360.tif 000002
【特許請求の範囲】
【請求項１】
近赤外線領域の光によって照明された被写体の撮像画像から人体の皮膚領域を検出する皮膚領域検出撮像装置において、
被写体からの光を集光する複数の光学レンズと、
前記光学レンズによって形成される像を撮像する固体撮像素子と、
前記固体撮像素子上に前記光学レンズによってそれぞれ形成される複数の像を順に読出すシャッタ手段と、
近赤外線領域における異なった２種類の波長の光（以下、異波長光という）が時間的に切替わって発光して被写体を照明するフラッシュ光源と、
前記フラッシュ光源の異波長光の切替わりタイミングを、前記シャッタ手段が読出す像を切替えるタイミングに合わせて制御する切替え制御手段と、
前記切替え制御手段によって切替えられる異波長光のそれぞれによって照明された２種類の像を画像として記憶する記憶手段と、
前記記憶手段に記憶された２種類の画像を比較して明るさの差が所定値以上である領域を皮膚領域として検出する皮膚領域検出手段と、を備え、
前記シャッタ手段の１回のシャッタ動作によって得られる２種類の画像に基づいて短時間のうちに皮膚領域を検出することを特徴とする皮膚領域検出撮像装置。
【請求項２】
近赤外線領域の光によって照明された被写体の撮像画像から人体の皮膚領域を検出する皮膚領域検出撮像装置において、
被写体からの光を集光する複数の光学レンズと、
前記光学レンズによって形成される像を撮像する固体撮像素子と、
前記固体撮像素子上に前記光学レンズによってそれぞれ形成される複数の像を順に読出すシャッタ手段と、
近赤外線領域を含む広域の波長の光が被写体を照明するフラッシュ光源と、
前記複数の光学レンズによる集光路に配置され、前記各集光路ごとに近赤外線領域における異なった２種類の波長の光を選択的に透過する２種類のバンドパスフィルタと、
前記２種類のバンドパスフィルタによって選択的に透過された２種類の波長の光による２種類の像を画像として記憶する記憶手段と、
前記記憶手段に記憶された２種類の画像を比較して明るさの差が所定値以上である領域を皮膚領域として検出する皮膚領域検出手段と、を備え、
前記シャッタ手段の１回のシャッタ動作によって得られる２種類の画像に基づいて短時間のうちに皮膚領域を検出することを特徴とする皮膚領域検出撮像装置。
【請求項３】
前記２種類のバンドパスフィルタは、それぞれ近赤外線領域における異なった波長の光を選択的に透過すると共に、可視光領域の光を透過することを特徴とする請求項２に記載の皮膚領域検出撮像装置。
【請求項４】
近赤外線領域の光によって照明された被写体の撮像画像から人体の皮膚領域を検出する皮膚領域検出撮像装置において、
被写体からの光を集光する複数の光学レンズと、
前記光学レンズによって形成される像を撮像する固体撮像素子と、
前記固体撮像素子上に前記光学レンズによってそれぞれ形成される複数の像を順に読出すシャッタ手段と、
前記固体撮像素子上の複数の像を、近赤外線領域における異なった２種類の波長の光によって皮膚領域の明るさが異なるように形成する異種類像形成手段と、
前記異種類像形成手段によって前記固体撮像素子上に形成され、前記シャッタ手段によって読出された２種類の像を画像として記憶する記憶手段と、
前記記憶手段に記憶された２種類の画像を比較して明るさの差が所定値以上である領域を皮膚領域として検出する皮膚領域検出手段と、を備え、
前記シャッタ手段の１回のシャッタ動作によって得られる２種類の画像に基づいて短時間のうちに皮膚領域を検出することを特徴とする皮膚領域検出撮像装置。
【発明の詳細な説明】
【技術分野】
【０００１】
本発明は、皮膚領域検出撮像装置に関し、詳しくは、近赤外線領域の光によって照明された被写体の撮像画像から人体の皮膚領域を検出する皮膚領域検出撮像装置に関する。
【背景技術】
【０００２】
人体の皮膚領域は、近赤外線領域の光によって照明されるときに、異なった波長に対して異なった反射率を有している（例えば８５０ｎｍの光に対しては約４５％、９５０ｎｍの光に対しては約４０％）。従来より、この性質を利用して監視カメラ等における人体検出が行われている。例えば、２種類の異なった波長の近赤外光を発する２種類の発光ダイオードを搭載し、この２種類の発光ダイオードを順に発光させたときに撮像した２種類の被写体画像から画素値の大小関係を抽出し、抽出した大小関係が皮膚領域の反射率特性に一致するか否かによって皮膚領域を検出する人体検出装置が知られている（例えば、特許文献１参照）。
【０００３】
また、赤外光を照射したときに得られる主要被写体候補エリアの反射率と、予め実験によって取得した肌部分の反射率とを比較して肌部エリアを検出するカメラが知られている（例えば、特許文献２参照）。
【０００４】
一方、ＣＣＤイメージセンサが長期間の使用によって劣化するのを防止するセキュリティ装置としての複眼撮影装置（例えば、特許文献３参照）や、複数方向の撮像が可能な携帯電話機の撮像装置（例えば、特許文献４参照）が知られている。
【特許文献１】特開２００６−４７０６７号公報
【特許文献２】特開平５−１９６９８９号公報
【特許文献３】特開２００６−２５４０８９号公報
【特許文献４】特許第３８１９７３３号公報
【発明の開示】
【発明が解決しようとする課題】
【０００５】
ところで、特許文献１に記載された人体検出装置では、被写体画像の撮像のためのレンズ光学系と撮像素子が一組であるので、比較するための２種類の画像を取得するにあたって、まず１種類目の発光ダイオードを発光・消灯してその発光ダイオードから発せられる１種類目の波長の光によって照明された被写体の画像を取得し、次に２種類目の発光ダイオードを発光・消灯してその発光ダイオードから発せられる２種類目の波長の光によって照明された被写体の画像を取得するといった工程が必要であり、短時間で皮膚領域の検出を行うことが困難であった。
【０００６】
なお、特許文献２に記載されたカメラにおける肌部検出のための構成は、光源部から発せられる赤外光によって順に照射される複数の測光エリアからの反射光の反射率に基づいて各測光エリアごとに肌部エリアであるか否かの判定を行うものであって、肌部エリアの具体的な形状を検出するものではない。
【０００７】
本発明は、近赤外線領域の光によって照明された被写体の撮像画像から人体の皮膚領域を検出する皮膚領域検出撮像装置において、短時間のうちに皮膚領域を検出することができる皮膚領域検出撮像装置を提供することを目的とする。
【課題を解決するための手段】
【０００８】
上記目的を達成するために、請求項１の発明は、近赤外線領域の光によって照明された被写体の撮像画像から人体の皮膚領域を検出する皮膚領域検出撮像装置において、被写体からの光を集光する複数の光学レンズと、前記光学レンズによって形成される像を撮像する固体撮像素子と、前記固体撮像素子上に前記光学レンズによってそれぞれ形成される複数の像を順に読出すシャッタ手段と、近赤外線領域における異なった２種類の波長の光（以下、異波長光という）が時間的に切替わって発光して被写体を照明するフラッシュ光源と、前記フラッシュ光源の異波長光の切替わりタイミングを、前記シャッタ手段が読出す像を切替えるタイミングに合わせて制御する切替え制御手段と、前記切替え制御手段によって切替えられる異波長光のそれぞれによって照明された２種類の像を画像として記憶する記憶手段と、前記記憶手段に記憶された２種類の画像を比較して明るさの差が所定値以上である領域を皮膚領域として検出する皮膚領域検出手段と、を備え、前記シャッタ手段の１回のシャッタ動作によって得られる２種類の画像に基づいて短時間のうちに皮膚領域を検出することを特徴とする。
【０００９】
請求項２の発明は、近赤外線領域の光によって照明された被写体の撮像画像から人体の皮膚領域を検出する皮膚領域検出撮像装置において、被写体からの光を集光する複数の光学レンズと、前記光学レンズによって形成される像を撮像する固体撮像素子と、前記固体撮像素子上に前記光学レンズによってそれぞれ形成される複数の像を順に読出すシャッタ手段と、近赤外線領域を含む広域の波長の光が被写体を照明するフラッシュ光源と、前記複数の光学レンズによる集光路に配置され、前記各集光路ごとに近赤外線領域における異なった２種類の波長の光を選択的に透過する２種類のバンドパスフィルタと、前記２種類のバンドパスフィルタによって選択的に透過された２種類の波長の光による２種類の像を画像として記憶する記憶手段と、前記記憶手段に記憶された２種類の画像を比較して明るさの差が所定値以上である領域を皮膚領域として検出する皮膚領域検出手段と、を備え、前記シャッタ手段の１回のシャッタ動作によって得られる２種類の画像に基づいて短時間のうちに皮膚領域を検出することを特徴とする。
【００１０】
請求項３の発明は、請求項２の発明において、前記２種類のバンドパスフィルタは、それぞれ近赤外線領域における異なった波長の光を選択的に透過すると共に、可視光領域の光を透過することを特徴とする。
【００１１】
請求項４の発明は、近赤外線領域の光によって照明された被写体の撮像画像から人体の皮膚領域を検出する皮膚領域検出撮像装置において、被写体からの光を集光する複数の光学レンズと、前記光学レンズによって形成される像を撮像する固体撮像素子と、前記固体撮像素子上に前記光学レンズによってそれぞれ形成される複数の像を順に読出すシャッタ手段と、前記固体撮像素子上の複数の像を、近赤外線領域における異なった２種類の波長の光によって皮膚領域の明るさが異なるように形成する異種類像形成手段と、前記異種類像形成手段によって前記固体撮像素子上に形成され、前記シャッタ手段によって読出された２種類の像を画像として記憶する記憶手段と、前記記憶手段に記憶された２種類の画像を比較して明るさの差が所定値以上である領域を皮膚領域として検出する皮膚領域検出手段と、を備え、前記シャッタ手段の１回のシャッタ動作によって得られる２種類の画像に基づいて短時間のうちに皮膚領域を検出することを特徴とする。
【発明の効果】
【００１２】
請求項１の発明によれば、複数の光学レンズによって固体撮像素子上に複数の像が形成され、それら複数の像は、近赤外線領域における異なった２種類の波長の光がシャッタ手段の読出しタイミングに合わせて切替えられて照明されて２種類の画像として読出され、読出された２種類の画像が比較されて皮膚領域が検出されるので、短時間のうちに皮膚領域が検出できる。
【００１３】
請求項２の発明によれば、複数の光学レンズによって固体撮像素子上に複数の像が形成され、それら複数の像は、近赤外線領域における異なった２種類の波長の光を透過するバンドパスフィルタによって選択的に透過された２種類の波長の光による２種類の像として形成されて読出され、読出された２種類の画像が比較されて皮膚領域が検出されるので、短時間のうちに皮膚領域が検出できる。
【００１４】
請求項３の発明によれば、請求項２の効果に加えて、色彩等が正常な通常の被写体画像を容易に得ることができる。
【００１５】
請求項４の発明によれば、複数の光学レンズによって固体撮像素子上に複数の像が形成され、それら複数の像は、近赤外線領域における異なった２種類の波長の光によって皮膚領域の明るさが異なる２種類の像として形成されて読み出され、読出された２種類の画像が比較されて皮膚領域が検出されるので、短時間のうちに皮膚領域が検出できる。
【発明を実施するための最良の形態】
【００１６】
以下、本発明の第１の実施形態に係る皮膚領域検出撮像装置について、図１乃至図７を参照して説明する。本実施形態の皮膚領域検出撮像装置１は、図１乃至図３に示されるように、被写体からの光を集光して焦点位置にある固体撮像素子２上に上下２個の像（以下、個眼像という）Ａ、Ｂを形成するレンズ光学系３と、固体撮像素子２上に形成された２個の個眼像Ａ、Ｂを電子的に処理して皮膚領域の検出を行う電子回路４と、電子回路４からのタイミング信号ａ、ｂによって近赤外線領域における異なった２種類の波長を中心波長として持つ２つのＬＥＤ５ａ、５ｂが交代的に発光するフラッシュ光源５と、電子回路４が検出した皮膚領域の画像等を表示する液晶パネル等から構成される表示装置６と、制御データの入力や画像データの取込み等を行うパソコン等の外部装置７と、を備えている。
【００１７】
本実施形態における２つのＬＥＤ５ａ、５ｂは、一方が８５０ｎｍの中心波長の近赤外線を発光するＬＥＤ５ａであり、他方が９４０ｎｍの中心波長の近赤外線を発光するＬＥＤ５ｂである。
【００１８】
レンズ光学系３は、図１及び図２に示されるように、光軸Ｌが互いに平行になるように上下に配置された２個の光学レンズ８と、光学レンズ８の支持フレーム９に形成された絞り開口１１と、光学レンズ８と固体撮像素子２の間に、各光学レンズ８から固体撮像素子２へ向けてそれぞれ出射される光同士が干渉しないように配置された隔壁１２と、固体撮像素子２の前方に配置された光学フィルタ１３とを備えている。光学フィルタ１３は、近赤外線領域の光を透過するフィルタである。
【００１９】
固体撮像素子２は、基板１４上に形成されたＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサから構成され、行列方向（図３及び図４のＸ、Ｙ方向）に多数の単位画素１５を有している。
【００２０】
各光学レンズ８によって固体撮像素子２上に集光されて形成される個眼像Ａ、Ｂが、図３において、それぞれ円形で表わされる。各個眼像Ａ、Ｂは、固体撮像素子２によってアナログの画像情報（画素に蓄積される電荷電圧）に変換され後述するローリングシャッタ装置によって個眼像Ａ、個眼像Ｂの順に読出される。
【００２１】
固体撮像素子２と同一の基板１４上には、固体撮像素子２の垂直走査回路１６と水平走査回路１７にタイミング信号ｃを出力するタイミングジェネレータ１８が備えられ、該タイミング信号ｃに基づいて固体撮像素子２の単位画素１５が後に詳述する所定の順序で読出され、個眼像Ａ、個眼像Ｂが、この順に読出される。タイミングジェネレータ１８と垂直走査回路１６と水平走査回路１７によってローリングシャッタ装置１９が構成されている。
【００２２】
次に、電子回路４について、図１を参照して説明する。電子回路４は、固体撮像素子２から出力されるアナログの画像情報をＡＤコンバータ２１を介してディジタル信号として取込む画像処理用プロセッサ２２と、画像処理用プロセッサ２２に取込まれた画像情報を一時的に記憶するＲＡＭ（記憶手段）２３と、画像処理用プロセッサ２２に取込まれた画像情報を後述の処理手順に従って処理して皮膚領域を検出するマイクロプロセッサ（切替え制御手段、皮膚領域検出手段）２４と、検出した皮膚領域の画像情報を一時的に記憶するＲＡＭ２５と、を備える。
【００２３】
画像処理用プロセッサ２２は、固体撮像素子２へ制御信号を出力して露光調整やゲイン調整等の制御を行い、取込んだ画像情報にガンマ補正やホワイトバランス補正等の画像処理も行う。
【００２４】
マイクロプロセッサ２４は、タイミングジェネレータ１８に接続され、タイミングジェネレータ１８が出力する水平同期信号ｄに基づいて所定のタイミングでフラッシュ光源５へタイミング信号ａ、ｂを出力するように構成されている。
【００２５】
以下、ローリングシャッタ装置１９による固体撮像素子２上の個眼像Ａ、Ｂの読出し手順と、フラッシュ光源５の２つのＬＥＤ５ａ、５ｂの発光の切替わりタイミングについて、図４を参照して説明する。
【００２６】
まず、固体撮像素子２上の個眼像Ａ、Ｂの読出し手順について説明すると、単位画素１５の配列された行列方向の原点Ｓを起点にして行方向（Ｘ方向）に沿って１列目の単位画素１５を読出した後、列方向（Ｙ方向）において原点Ｓから遠ざかった次の列を順次繰り返して読出すことによって、最終的に全ての単位画素１５が読出され、個眼像Ａ、Ｂがこの順で読出される。図４において、単位画素１５が読出される順序が矢印Ｒａ、Ｒｂ、Ｒｃ、・・によって模式的に示される。
【００２７】
そして、上記の読出し順序（タイミング）を制御するタイミングジェネレータ１８は、各列の読出しが終了する度にマイクロプロセッサ２４へ水平同期信号ｄを出力し、マイクロプロセッサ２４は、水平同期信号ｄをカウントすることによって個眼像Ａの読出しの開始と終了、及び個眼像Ｂの読出しの開始と終了のタイミングを認識し、個眼像Ａの読出しの開始と終了に合わせてＬＥＤ５ａへ点灯指令信号と消灯指令信号を出力し、個眼像Ｂの読出しの開始と終了に合わせてＬＥＤ５ｂへ点灯指令信号と消灯指令信号を出力する。
【００２８】
図４において、ＬＥＤ５ａの点灯・消灯のタイミングとＬＥＤ５ｂの点灯・消灯のタイミングが、それぞれ上方から下方へ向かうパルス波形Ｐａ、Ｐｂとして示される。このパルス波形Ｐａ、Ｐｂにおいて、単位画素１５の原点Ｓから読出しが開始された時点をｔ＝０とし、最後の単位画素１５が読出された時点をｔ＝Ｔとすると、個眼像Ａの読出しが開始された時点（ｔ１）でＬＥＤ５ａが点灯され、個眼像Ａの読出しが終了された時点（ｔ２）でＬＥＤ５ａが消灯され、個眼像Ｂの読出しが開始された時点（ｔ３）でＬＥＤ５ｂが点灯され、個眼像Ｂの読出しが終了された時点（ｔ４）でＬＥＤ５ｂが消灯される。
【００２９】
次に、本実施形態の皮膚領域検出撮像装置１における皮膚領域の検出手順について、図５のフローチャートを参照して説明する。
【００３０】
撮像が開始されると、ローリングシャッタ装置１９が動作して固体撮像素子２上に形成された個眼像Ａ、Ｂが順に読出され、画像処理用プロセッサ２２は個眼像Ａ、Ｂの画像情報を取得し（Ｓ１）、各画像情報を所定の長方形状に切出す（Ｓ２）。
【００３１】
このとき、個眼像Ａは、ＬＥＤ５ａが発光することによって８５０ｎｍを中心波長とする近赤外光により照明された被写体の像であり、個眼像Ｂは、ＬＥＤ５ｂが発光することによって９４０ｎｍを中心波長とする近赤外光により照明された被写体の像である。
【００３２】
個眼像Ａと個眼像Ｂの具体的な例が図６（ａ）、図６（ｂ）に示される。被写体中の人物Ｊの顔等の皮膚領域Ｊａについては、ＬＥＤ５ａで照明された個眼像Ａ（図６（ａ））の方がＬＥＤ５ｂで照明された個眼像Ｂ（図６（ｂ））よりも明るく表示されるが、人物Ｊの髪や衣服等の皮膚以外の領域Ｊｂについては、近赤外線に対する反射率がほぼ同等であるのでＬＥＤ５ａで照明された個眼像Ａ（図６（ａ））とＬＥＤ５ｂで照明された個眼像Ｂ（図６（ｂ））との間に大きな差が生じない。
【００３３】
図７に近赤外線領域の各波長の光に対する皮膚領域の反射率特性を示す。波長が８５０ｎｍの近赤外光に対する反射率は約４５％であり、波長が９４０ｎｍの近赤外光に対する反射率は約４０％である。なお、波長が８５０ｎｍよりも短い領域は可視光の赤色の領域であり、波長が９４０ｎｍよりも長い領域では固体撮像素子２の感度が急激に低下する。
【００３４】
次に、マイクロプロセッサ２４は、個眼像Ａと個眼像Ｂについて全領域における明るさの比較を行い（Ｓ３）、明るさの差が所定値よりも大きい領域を皮膚領域と判定する（Ｓ４）。
【００３５】
上記の例であれば、人物Ｊの顔と衣服から露出している手部分とが皮膚領域Ｊａとして判定される。マイクロプロセッサ２４は、皮膚領域Ｊａと判定した画像を表示装置６に表示する（Ｓ５）。表示装置６に表示される画像の例が図６（ｃ）に示される。
【００３６】
以上のように、本実施形態の皮膚領域検出撮像装置１では、ローリングシャッタ装置１９による１回の撮像動作によって皮膚領域Ｊａの明るさが所定程度よりも大きい２種類の画像（個眼像Ａ、Ｂ）が得られるので短時間のうちに皮膚領域の検出ができる。
【００３７】
次に、第２の実施形態について、図８乃至図１０を参照して説明する。第２の実施形態の皮膚領域検出撮像装置１は、第１の実施形態の皮膚領域検出撮像装置１とほぼ同一の構造であり、相違するところは、フラッシュ光源５を構成する２つのＬＥＤ５ａ、５ｂが、近赤外線領域を含む広域の波長の光を発する１つのハロゲンランプ５ｃに代えられた点と、光学フィルタ１３が、２つの光学レンズ８によってそれぞれ形成される集光路３０ａ、３０ｂごとに近赤外線領域における異なった２種類の波長の光を選択的に透過するバンドパスフィルタ３１ａ、３１ｂに代えられた点である。以下、各相違点について詳細に説明する。
【００３８】
ハロゲンランプ５ｃは、近赤外線領域と可視光領域を含む広域の波長の光を発する光源であり、点灯・消灯が所定のタイミングで切替えられるＬＥＤ５ａ、５ｂとは異なり、被写体の撮像が行われている間中継続して発光される。なお、ハロゲンランプ５ｃに代えて広域の波長の光を発する１つのＬＥＤであってもよい。
【００３９】
バンドパスフィルタ３１ａ、３１ｂは、それぞれ２つの光学レンズ８に固有の集光路３０ａ、３０ｂに配置され、バンドパスフィルタ３１ａは、中心波長が８５０ｎｍ付近の近赤外光を透過するフィルタであり、バンドパスフィルタ３１ｂは、中心波長が９４０ｎｍ付近の近赤外光を透過するフィルタである。図９にバンドパスフィルタ３１ａの透過率特性が示され、図１０にバンドパスフィルタ３１ｂの透過率特性が示される。
【００４０】
バンドパスフィルタ３１ａによって選択的に透過される近赤外光によって形成される個眼像Ａは、第１の実施形態と同様に、皮膚領域Ｊａが比較的明るく表された画像（図６（ａ））になり、バンドパスフィルタ３１ｂによって選択的に透過される近赤外光によって形成される個眼像Ｂは、第１の実施形態と同様に、皮膚領域Ｊａが比較的暗く表された画像（図６（ｂ））になる。
【００４１】
第２の実施形態における皮膚領域の検出手順も、第１の実施形態と同様に、画像情報の取得、所定形状の画像への切り出し、個眼像Ａ、Ｂ間の比較、皮膚領域の検出、画像の表示の順で行われ、皮膚領域Ｊａの検出及び画像表示が行われる。
【００４２】
第２の実施形態の皮膚領域検出撮像装置１においても、ローリングシャッタ装置１９による１回の撮像動作によって皮膚領域Ｊａの明るさが所定程度よりも大きい２種類の画像（個眼像Ａ、Ｂ）が得られるので短時間のうちに皮膚領域の検出ができる。
【００４３】
この第２の実施形態におけるバンドパスフィルタ３１ａ、３１ｂは、光透過領域として可視光領域を含むものに代えられてもよく、その場合の変形例について、図１１と図１２を参照して説明する。
【００４４】
具体的には、バンドパスフィルタ３１ａは、その透過率特性が図１１に示されるような、中心波長が８５０ｎｍ付近の近赤外光と３６０〜６６０ｎｍの可視光領域の光をともに透過するものに代えられ、バンドパスフィルタ３１ｂは、その透過率特性が図１２に示されるような、中心波長が９４０ｎｍ付近の近赤外光と３６０〜６６０ｎｍの可視光領域の光をともに透過するものに代えられてもよい。
【００４５】
この場合には、各バンドパスフィルタ３１ａ、３１ｂが可視光領域の光も透過するので、個眼像Ａ、Ｂ自体を色彩等が正常な通常の被写体画像として得ることができる。また、ユーザは、得られる画像を表示装置６に表示して見ることができ、本皮膚領域検出撮像装置１を監視カメラ装置として利用することができる。
【図面の簡単な説明】
【００４６】
【図１】本発明の第１の実施形態に係る皮膚領域検出撮像装置の概略構成を示す図。
【図２】同皮膚領域検出撮像装置における光学系部分の正面図。
【図３】同皮膚領域検出撮像装置における固体撮像素子の正面図。
【図４】同皮膚領域検出撮像装置における個眼像が読出される順序と２つのＬＥＤの発光タイミングを示す説明図。
【図５】同皮膚領域検出撮像装置における皮膚領域の検出手順を示すフローチャート。
【図６】（ａ）は同皮膚領域検出撮像装置において中心波長が８５０ｎｍの近赤外光によって照明された被写体の個眼像の例を示す図、（ｂ）は中心波長が９４０ｎｍの近赤外光によって照明された被写体の個眼像の例を示す図、（ｃ）は皮膚領域が検出された画像の例を示す図。
【図７】近赤外光の各波長に対する皮膚領域の反射率を示す図。
【図８】本発明の第２の実施形態に係る皮膚領域検出撮像装置の概略構成を示す図。
【図９】同皮膚領域検出撮像装置における中心波長が８５０ｎｍ付近の近赤外光を透過するバンドパスフィルタの透過率特性を示す図。
【図１０】同皮膚領域検出撮像装置における中心波長が９４０ｎｍ付近の近赤外光を透過するバンドパスフィルタの透過率特性を示す図。
【図１１】同皮膚領域検出撮像装置における可視光領域の光と中心波長が８５０ｎｍ付近の近赤外光をともに透過する変形例としてのバンドパスフィルタの透過率特性を示す図。
【図１２】同皮膚領域検出撮像装置における可視光領域の光と中心波長が９４０ｎｍ付近の近赤外光をともに透過する変形例としてのバンドパスフィルタの透過率特性を示す図。
【符号の説明】
【００４７】
１  皮膚領域検出撮像装置
２  固体撮像素子
５  フラッシュ光源
５ａ、５ｂ  ＬＥＤ（異種類像形成手段）
５ｃ  ハロゲンランプ
８  光学レンズ
１９  ローリングシャッタ装置（シャッタ手段）
２３  ＲＡＭ（記憶手段）
２４  マイクロプロセッサ（切替え制御手段、皮膚領域検出手段）
３０ａ、３０ｂ  集光路
３１ａ、３１ｂ  バンドパスフィルタ（異種類像形成手段）
Ａ、Ｂ  個眼像（２種類の画像）
Ｊａ  皮膚領域
【図１】
2008182360.tif 000003
【図２】
2008182360.tif 000004
【図３】
2008182360.tif 000005
【図４】
2008182360.tif 000006
【図５】
2008182360.tif 000007
【図６】
2008182360.tif 000008
【図７】
2008182360.tif 000009
【図８】
2008182360.tif 000010
【図９】
2008182360.tif 000011
【図１０】
2008182360.tif 000012
【図１１】
2008182360.tif 000013
【図１２】
2008182360.tif 000014